(57)【要約】【課題】  木造住宅建築物の骨組み部材に形成したボルト挿通穴に挿通されるボルト部材の先端雄ネジ部を、骨組み部材を挟んで反対側に設けられた雌ネジ部材に効率良く締着できるようにする。【解決手段】  本発明のボルト部材の着脱治具構造１０は、ボルト部材１１の側面から突出させて設けられた治具係止用突起１５と、一端面が天面盤１６によって閉塞された円筒状パイプ部材１７からなり、回転駆動装置５０への係合突起１８が天面盤１６から外方に突出して設けられると共に、ボルト部材１１の治具係止用突起１５を係止する係止切欠きが１９周縁部に形成されたボルト挿入開口２０を他端面に備える治具本体２１とによって構成され、且つ治具係止用突起１５は、ボルト部材１１を治具本体２１の内部に挿入した際に、ボルト挿入開口２０の開口面と交差する位置に設けられている。【選択図】      図３
2005240290.tif 000002
【特許請求の範囲】
【請求項１】
木造住宅建築物の骨組み部材に形成されたボルト挿通穴に挿通されるボルト部材の先端雄ネジ部を、前記骨組み部材を挟んで反対側に設けられた雌ネジ部材に締着する際に、或いは締着状態を解除する際に用いるボルト部材の着脱治具構造であって、
前記ボルト部材の側面から突出させて周方向に間隔をおいて少なくとも２箇所に設けられた治具係止用突起と、
一端面が天面盤によって閉塞された円筒状パイプ部材からなり、回転駆動装置への係合突起が前記天面盤から外方に突出して設けられると共に、前記ボルト部材の治具係止用突起を係止する係止切欠きが周縁部に形成されたボルト挿入開口を他端面に備える治具本体とによって構成され、
且つ前記治具係止用突起は、前記ボルト部材を前記ボルト挿入開口を介して前記治具本体の内部に突き当たるまで挿入した際に、前記ボルト挿入開口が開口する他端面と交差する位置に設けられているボルト部材の着脱治具構造。
【請求項２】
前記ボルト部材が両ネジボルトである請求項１に記載のボルト部材の着脱治具構造。
【請求項３】
前記治具係止用突起は、周方向に１８０度ずれた対向する位置に設けられている請求項１又は２に記載のボルト部材の着脱治具構造。
【請求項４】
前記天面盤から前記治具本体の内方に突出して、ボルト挿入深さ調整突起が設けられている請求項１〜３のいずれかに記載のボルト部材の着脱治具構造。
【発明の詳細な説明】
【技術分野】
【０００１】
本発明はボルト部材の着脱治具構造に関し、特に、木造住宅建築物の骨組み部材に形成されたボルト挿通穴に挿通されるボルト部材の先端雄ネジ部を、骨組み部材を挟んで反対側に設けられた雌ネジ部材に締着する際に、或いは締着状態を解除する際に用いるボルト部材の着脱治具構造に関する。
【背景技術】
【０００２】
例えば、住宅建築物の施工の迅速化や高精度化を図るべく、予め工場等で形成された複数の住宅ユニットを建築施工現場で組み立てて構築するユニット住宅が開発されている。このようなユニット住宅においては、形成された各住宅ユニットを例えば運送用のトラック等に積み込んで建築施工現場に搬入し、クレーン等の吊り上げ用の重機を用いて吊り上げて所望の位置に設置し、他の住宅ユニットと共に連結一体化することによってユニット住宅を組み立てる。
【０００３】
一方、このようなユニット住宅を形成するべく住宅ユニットを連結一体化する作業は、両ネジボルト等の連結ボルトを用いて行われる場合がある（例えば、特許文献１参照）。すなわち、住宅ユニットを構成する骨組み部材として例えば上枠部材、下枠部材、縦枠部材等に形成されたボルト挿通穴を、隣接する住宅ユニットの間で合致させて、例えば両ネジボルトを挿通し、接合面を挟んだ両側の骨組み部材のボルト挿通穴の開口周縁部に、ナット等の雌ネジ部材を介して両端の雄ネジ部を各々締着固定することにより、住宅ユニットを接合一体化する。また、このようなボルト部材の締着作業を施工現場で迅速に行うことができるようにするために、例えば上下に積み重ねられる住宅ユニットのうちの下方の住宅ユニットの上枠部材の下面に雌ネジ部材を予め取り付けておき、締着作業時には、ボルト挿通穴の上方からボルト部材を挿入して、上枠部材を挟んだ反対側の雌ネジ部材にこれの下端雄ネジ部をネジ込むだけの作業で螺合させて、ボルト部材をスムーズに締着できるようにする工夫がなされている。
【特許文献１】特開２０００−９６７２１号公報
【発明の開示】
【発明が解決しようとする課題】
【０００４】
上述のように、ナット等の雌ネジ部材を、骨組み部材を挟んだ反対側に予め取り付けておくことによって、雌ネジ部材を手で支えながら挿入したボルト部材をネジ込む手間を省略し、ボルト部材の締着作業をある程度スムーズに行うことが可能になる一方で、ボルト挿通穴にボルト部材を挿入してその先端雄ネジ部を雌ネジ部材に螺合する作業は、一本一本人力によってネジ込むことにより行われていたため、面倒な作業であって必ずしも充分な効率化が図られていなかった。すなわち、雌ネジ部材は、相当の厚さを有する骨組み部材を挟んだ、ボルト挿通孔の入口側とは反対側に取り付けられているものであり、雌ネジ部材にボルト部材の端部を螺合する作業は、骨組み部材を貫通させて離れた場所への締結作業となるため、安定した状態で支持しつつ回転を加えながら、ボルト部材を雌ネジ部材に強固に締め着けてゆくには多くの手間を要することになる。そして、特に数多くのボルト挿入穴にボルト部材を締着してゆく必要がある場合には、その労力は多大なものとなるため、このような骨組み部材に形成されたボルト挿通穴にボルト部材を挿入して反対側の雌ネジ部材に効率良く締着して行くことを可能にする、新たな技術の開発が望まれている。
【０００５】
また、骨組み部材を挟んだ反対側の雌ネジ部材に締着された状態のボルト部材を、締着状態を解除してボルト挿通穴から抜き取る作業もまた手間のかかる作業となることから、このようなボルト部材の着脱作業を効率良く行うことを可能にする、新たな技術の開発が望まれている。
【０００６】
本発明は、このような従来の課題に着目してなされたものであり、木造住宅建築物の骨組み部材に形成されたボルト挿通穴に挿通されるボルト部材の先端雄ネジ部を、骨組み部材を挟んで反対側に設けられた雌ネジ部材に効率良く締着したり、締着状態を解除することを可能にするボルト部材の着脱治具構造を提供することを目的とする。
【課題を解決するための手段】
【０００７】
本発明は、木造住宅建築物の骨組み部材に形成されたボルト挿通穴に挿通されるボルト部材の先端雄ネジ部を、前記骨組み部材を挟んで反対側に設けられた雌ネジ部材に締着する際に、或いは締着状態を解除する際に用いるボルト部材の着脱治具構造であって、前記ボルト部材の側面から突出させて周方向に間隔をおいて少なくとも２箇所に設けられた治具係止用突起と、一端面が天面盤によって閉塞された円筒状パイプ部材からなり、回転駆動装置への係合突起が前記天面盤から外方に突出して設けられると共に、前記ボルト部材の治具係止用突起を係止する係止切欠きが周縁部に形成されたボルト挿入開口を他端面に備える治具本体とによって構成され、且つ前記治具係止用突起は、前記ボルト部材を前記ボルト挿入開口を介して前記治具本体の内部に突き当たるまで挿入した際に、前記ボルト挿入開口が開口する他端面と交差する位置に設けられているボルト部材の着脱治具構造を提供することにより、上記目的を達成したものである。
【０００８】
そして、本発明のボルト部材の着脱治具構造は、前記ボルト部材が両ネジボルトであることが好ましい。
【０００９】
また、本発明のボルト部材の着脱治具構造は、前記治具係止用突起が、周方向に１８０度ずれた対向する位置に設けられていることが好ましい。
【００１０】
さらに、本発明のボルト部材の着脱治具構造は、前記天面盤から前記治具本体の内方に突出してボルト挿入深さ調整突起が設けられていることが好ましい。
【発明の効果】
【００１１】
本発明のボルト部材の着脱治具構造によれば、木造住宅建築物の骨組み部材に形成されたボルト挿通穴に挿通されるボルト部材の先端雄ネジ部を、骨組み部材を挟んで反対側に設けられた雌ネジ部材に効率良く締着したり、締着状態を解除してゆくことができる。
【発明を実施するための最良の形態】
【００１２】
本発明の好ましい一実施形態に係る着脱治具構造１０（図３参照）は、一例として、例えば木造住宅建築物である枠組壁工法によるユニット住宅を構成する、予め工場等において製作された図１に示すようにな住宅ユニット５０を、建築施工現場において吊り上げ、他の住宅ユニットと接合一体化してユニット住宅を形成する際に用いられる。すなわち、本実施形態のボルト部材１１の着脱治具構造１０は、例えば図２に示すように、上下に積み重ねて一体化される住宅ユニット５０ａ，５０ｂを両ネジボルトからなるボルト部材１１によって連結する作業に先立って、下方に配置される住宅ユニット５０ａの上枠部材（骨組み部材）１２に形成されたボルト挿通穴１３に挿通されるボルト部材１１の先端雄ネジ部１１ａを、上枠部材１２を挟んだ反対側である当該上枠部材１２の下面に沿って取り付けた締着ナット部材（雌ネジ部材）１４に締着するめの治具構造として用いられる。
【００１３】
そして、本実施形態の着脱治具構造１０は、図３〜図５に示すように、ボルト部材１１の側面から突出させて周方向に間隔をおいて少なくとも２箇所に設けられた治具係止用突起１５と、一端面が天面盤１６によって閉塞された円筒状パイプ部材１７からなり、回転駆動装置（図６参照）３０への係合突起１８が天面盤１６から外方（上方）に突出して設けられると共に、ボルト部材１１の治具係止用突起１５を係止する係止切欠き１９が周縁部に形成されたボルト挿入開口２０を他端面に備える治具本体２１とによって構成され、且つ治具係止用突起１５は、ボルト部材１１をボルト挿入開口２０を介して治具本体２１の内部に突き当たるまで挿入した際に、ボルト挿入開口２０が開口する他端面と交差する位置に設けられている。
【００１４】
また、本実施形態によれば、ボルト部材１１の治具係止用突起１５は、周方向に１８０度ずれた対向する位置に一対設けられており、治具本体２１の天面盤１６から治具本体２１の内方に突出して、ボルト挿入深さ調整突起２２が設けられている。
【００１５】
ここで、住宅ユニット５０は、図１に示すように、例えば矩形形状の床パネル５１の一対の短辺部及び一方の長辺部から立設して壁パネル５２，５３が設けられるものであり、一対の短辺部から立設する壁パネル５２の上端部には、図２に示すように、雌ネジ部材としての締着ナット部材１４が、例えば壁パネル５２の壁枠組みを構成する上枠部材１２の下面及び縦枠部材２３の内側面に沿って取り付けられる。また締着ナット部材１４には、例えば住宅ユニット５０の吊り上げ時に例えばアイボルト等がボルト挿通穴１３に挿入されて締着されると共に、住宅ユニット５０を据付けた後は、吊上げ用のアイボルト等を取り外して、改めて両ネジボルトからなるボルト部材１１がボルト挿通穴１３に挿入されて締着され、この締着されたボルト部材１１を介して上下の住宅ユニット５０ａ，５０ｂの連結作業が行われることになる。そして、本実施形態の着脱治具構造１０は、このようなボルト部材１１の先端雄ネジ部１１ａの、ボルト挿通穴１３を介した締着ナット部材１４への締着を効率良く行うことができるようにするために採用されたものである。
【００１６】
また、本実施形態によれば、雌ネジ部材としての締着ナット部材１４は、図７（ａ）〜（ｃ）にも示すように、ナット本体２４と、このナット本体２４に一体接合される座金プレート２５と、この座金プレート２４のナット本体２４側の面と反対側の面から突出する、ボルト挿通穴１３の内径よりも小さな外径を備えると共に、ナット本体２４の雌ネジ孔以上の内径を有する円環状突起２６とによって構成される。また座金プレート２５は、これの端縁部からＬ字形状に垂直に折曲がって延設される垂直プレート部２７を備えており、この垂直プレート部２７を縦枠部材２３の上端部側面に固定ビス等を介して添設固定しつつ、座金プレート２５が上枠部材１２の下面に沿って取り付けられることになる。さらに座金プレート２５の垂直プレート部２７が延設する側の面には、コの字断面補強部材２８が取り付けられている。締着ナット部材１４のナット本体２４の雌ネジ孔にはボルト部材１１の先端雄ネジ部１１ａが螺合締着されると共に、締着ナット部材１４は円環状突起２６を備えているので、この円環状突起２６をボルト挿通穴１３の下端部の内側に配置することにより、ボルト挿通穴１３に挿通されるボルト部材１１の先端雄ネジ部１１ａをナット本体２４の雌ネジ孔にスムーズに案内することが可能になる。
【００１７】
そして、本実施形態の着脱治具構造１０は、上述のように、ボルト部材１１の側面から突出させて周方向に間隔をおいて２箇所に設けられた治具係止用突起１５と、円筒状パイプ部材１７からなる治具本体２１とによって構成される（図３〜図５参照）。
【００１８】
治具係止用突起１５が設けられるボルト部材１１は、図４（ａ），（ｂ）に示すように、両端に例えばＭ１２の先端雄ネジ部１１ａ，１１ｂを備える例えば１００〜３００ｍｍ程度の長さの両ネジボルトであり、両端の先端雄ネジ部１１ａ，１１ｂによって挟まれる中間部分の外径は、例えば１２ｍｍとなっている。またボルト部材１１の上端から例えば３０〜１００ｍｍ程度の領域には、周方向に１８０度ずれた対向する位置に例えばツバ加工等を施すことによって、ボルト部材１１の軸方向に例えば５〜２０ｍｍ程度の長さで延設すると共に、ボルト部材の側面から例えば１〜２ｍｍ程度の高さで突出する一対の治具係止用突起１５が設けられている。
【００１９】
また、これらの治具係止用突起１５が設けられる領域は、後述するようにボルト部材１１の上部をボルト挿入開口２０を介して治具本体２１の中空内部に挿入し、その上端面が治具本体２１の内方に突出して設けたボルト挿入深さ調整突起２２に突き当たるまで押し込んだ際に、ボルト挿入開口２０が開口する治具本体２１の他端面と交差する部分の領域となっている。したがってこのようにしてボルト挿入深さ調整突起２２に突き当たるまでボルト部材１１が挿入された状態では、治具係止用突起１５は、治具本体２１のボルト挿入開口２０の周縁部に形成された一対の係止切欠き１８に各々係止されることになり、これによって治具本体２０の回転に伴って、ボルト部材１１を容易且つ安定した状態で回転させることができるようになっている。
【００２０】
治具本体２１は、図５（ａ）〜（ｃ）に示すように、内径が例えば１３〜２０ｍｍ程度、外径が例えば１５〜２５ｍｍ程度、長さが例えば２０〜１２０ｍｍ程度の大きさの円筒状パイプ部材１７からなり、その上面である一端面が、円盤状の天面盤１６によって閉塞されている。また天面盤１６の中央部分から上方に突出して、後述する回転駆動装置３０の回転チャック部３１に着脱可能に噛合固定される６角形断面の係合突起１８が設けられていると共に、天面盤１６の中央部分から下方に突出して、治具本体２１の内部には、円柱ロッド形状のボルト挿入深さ調整突起２２が設けられている。ボルト挿入深さ調整突起２２は、その突出長さを進退させて、ボルト部材１１の挿入深さを調整可能とするものであるが、このボルト挿入深さ調整突起２２は必ずしも設けられている必要はなく、ボルト部材１１を、これの上端面が天面盤１６に直接突き当たるまで挿入させるようにしても良い。
【００２１】
治具本体２０の下面である他端面に開口形成されるボルト挿入開口２０は、円筒状パイプ部材１７の内径、及びボルト部材１１における一対の治具係止用突起１５の先端の間の長さよりも小さく、ボルト部材１１の外径よりも大きい内径を有する略円形の開口部であって、これの周縁部の１８０度ずれた対向する位置には、略矩形形状に外側に切欠かれた一対の係止切欠き１９が形成されている。したがって、このボルト挿入開口２０を介してボルト部材１１の上部をスムーズに治具本体２１の内部に挿入することができると共に、一対の係止切欠き１９に一対の治具係止用突起１５を位置合わせするように適宜相対的に回転させながら、上端面がボルト挿入深さ調整突起２２に突き当たるまでボルト部材１１を挿入することにより、各治具係止用突起１５は各係止切欠き１９に各々遊嵌係止されることになり、これによって治具本体２０の回転に伴ってボルト部材１１を一体として回転させることができるようになっている。
【００２２】
上述のような構成の着脱治具構造１０によって、ボルト部材１１の先端雄ネジ部１１ａを、上枠部材１２を挟んで反対側に設けられた締着ナット部材１４に締着するには、例えば図６に示すような回転駆動装置３０の回転チャック部３１に治具本体２０を取り付けて締着作業を行う。ここで、回転駆動装置３０は例えば電動ドライバーと呼ばれる公知のもので、回転チャック部３１に装着されたドリルやその他の回転部材を、適宜設定された所定のトルクで正方向或いはこれと逆方向に回転駆動させることができるようになっている。また、回転駆動装置３０は、所定のトルクに達した際に空回りするクラッチ機構を備えていて、ボルト部材１１を過度の回転トルクで締め付けることなく、略一定の安定した締付け力で、締着ナット部材１４に締着することができるようになっている。
【００２３】
そして、本実施形態によれば、回転駆動装置３０に治具本体２０を取り付けた後、この治具本体２０にボルト部材１１の上部を差し込んで、その先端雄ネジ部１１ａを、ボルト挿通穴１３が形成された上枠部材１２の下面に取り付けられた締着ナット部材１４に締着する。すなわち、例えば治具本体２０に差し込んだボルト部材１１を手で支えながらボルト挿通穴１３に挿入した後に、或いは予めボルト挿通穴１３に挿入配置されて上方に突出するボルト部材１１の上部を、回転チャック部３１に取り付けた治具本体２０に差し込んで治具係止用突起１５を係止切欠き１９に係止した後に、回転駆動装置３０よって治具本体２０を回転させれば、これに伴ってボルト部材１１が安定した回転トルクで回転することになる。
【００２４】
この状態でボルト部材１１を締着ナット部材１４に向かって押し出してゆけば、先端雄ネジ部１１ａは、締着ナット部材１４の円環状突起２６によって案内されつつ、ナット本体２４の雌ネジ孔に容易に位置決めされ、回転駆動装置３０の回転駆動力を介して締着ナット部材１４に迅速かつ容易に螺合締着されてゆくことになる。また先端雄ネジ部１１ａが締着ナット部材１４に充分に締め付けられたら、回転駆動装置３０が空回りすることになるので、ボルト部材１１を過度に締め付けることなく、強固且つ安定した状態で、上枠部材１２を挟んで反対側に設けられた締着ナット部材１４にボルト部材１１を締着してゆくことが可能になる。そして本実施形態の着脱治具構造１０を用いることにより、上述のように回転駆動装置３０によって強固且つ安定した状態で容易にボルト部材１１を締着ナット部材１４に締着してゆくことができるので、数多くのボルト挿入穴１３にボルト部材１１を締着してゆく必要がある場合でも、このような締着作業を効率良く行ってゆくことが可能になる。
【００２５】
また、本実施形態によれば、骨組み部材を挟んで反対側に設けられた雌ネジ部材に締着されたボルト部材１１を、必要に応じて締着状態を解除して容易にボルト挿入穴１３から取り外すことも可能である。すなわち、締着状態において、例えば治具係止用突起１５よりも上方部分をボルト挿入穴１３から上方に突出させているボルト部材１１に対して、当該上方部分を回転チャック部３１に取り付けた治具本体２０に差し込んで治具係止用突起１５を係止切欠き１９に係止した後に、回転駆動装置３０よって治具本体２０を逆方向に回転させれば、これに伴ってボルト部材１１が安定した状態で逆方向に回転し、容易かつ迅速に締着状態が解除されることになる。
【００２６】
したがって、本実施形態によれば、着脱治具構造１０を用いることにより、木造住宅建築物の骨組み部材（上枠部材）１２に形成されたボルト挿通穴１３に挿通されるボルト部材１１の先端雄ネジ部１１ａを、骨組み部材１２を挟んで反対側に設けられた雌ネジ部材（締着ナット部材）１４に効率良く締着したり、締着状態を解除してゆくことができる。
【００２７】
なお、本発明は上記実施形態に限定されることなく種々の変更が可能である。例えば、本発明の着脱治具構造は、枠組壁工法によるユニット住宅の枠組部材を骨組み部材とする場合に限定されることなく、在来軸組工法等のその他の工法や、ユニット工法以外の工法による木造住宅建築物を構成する、種々の骨組み部材に形成されたボルト挿通穴にボルト部材を締着するべく用いることもできる。また、ボルト挿通穴は、上下方向に形成されるものに限定されることなく、横方向や斜め方向に形成されたボルト挿通穴にボルト部材を締着する際に、本発明を採用することもできる。さらに、ボルト部材は、両ネジボルトに限定されることなく、その他の種々のボルト部材に治具係止用突起を設けて本発明に適用することもできる。さらにまた、治具係止用突起は、ボルト部材の側面において周方向に１８０度ずれた対向する位置に一対設ける必要は必ずしもなく、係止切欠きと共に３箇所以上設けることもできる。
【図面の簡単な説明】
【００２８】
【図１】本発明の一実施形態に係るボルト部材の着脱治具構造を介して連結される住宅ユニットを説明する略示斜視図である。
【図２】本発明の一実施形態に係るボルト部材の着脱治具構造を介して上下の住宅ユニットを連結する際の連結構造を説明する断面図である。
【図３】本発明の一実施形態に係るボルト部材の着脱治具構造の構成を説明する断面図である。
【図４】（ａ），（ｂ）は、周方向に９０度異なった方向から見たボルト部材の側面図である。
【図５】（ａ）は治具本体の上面図、（ｂ）は治具本体の断面図、（ｃ）は治具本体の下面図である。
【図６】回転駆動装置を例示する側面図である。
【図７】締着ナット部材の構成を説明する（ａ）は側面図、（ｂ）は正面図、（ｃ）は下面図である。
【符号の説明】
【００２９】
１０  ボルト部材の着脱治具構造
１１  ボルト部材
１１ａ，１１ｂ  ボルト部材の先端雄ネジ部
１２  上枠部材（骨組み部材）
１３  ボルト挿通穴
１４  締着ナット部材（雌ネジ部材）
１５  治具係止用突起
１６  天面盤
１７  円筒状パイプ部材
１８  回転駆動装置への係合突起
１９  係止切欠き
２０  ボルト挿入開口
２１  治具本体
２２  ボルト挿入深さ調整突起
２４  ナット本体
２５  座金プレート
２６  円環状突起
３０  回転駆動装置
５０，５０ａ，５０ｂ  住宅ユニット
【図１】
2005240290.tif 000003
【図２】
2005240290.tif 000004
【図３】
2005240290.tif 000005
【図４】
2005240290.tif 000006
【図５】
2005240290.tif 000007
【図６】
2005240290.tif 000008
【図７】
2005240290.tif 000009